(57)【要約】【課題】この発明は、１枚の無線カードで複数の取引を容易にできる無線カードの処理方法、および処理装置を提供することを課題とする。【解決手段】無線処理装置は、無線カードＣに対するデータの読み出しおよび書き込みを行なうリーダライタ、カードＣとリーダライタの通信のための電波を発信するアンテナ部３、およびアンテナ部３の電波が届く通信可能範囲Ａ内であってアンテナ部３の上面に近接して配置されたセンサ部４を有する。カードＣの利用者は、通信可能範囲Ａ内にカードＣを投入してセンサ部４に接触し、１回目のデータ処理をする。その後、利用者は、カードＣを一旦通信可能範囲Ａ外へ取り出して、再び通信可能範囲Ａ内に投入し、センサ部４に接触することにより２回目のデータ処理が実行される。【選択図】      図１０
2005173733.tif 000002
【特許請求の範囲】
【請求項１】
無線処理装置の通信可能範囲内に存在する無線カードを認識する認識工程と、
上記通信可能範囲内に設置された接触検知センサに接触したことを検知する検知工程と、
この検知工程で接触を検知したことをトリガーとして上記認識工程で認識した無線カードに対するデータ処理をするデータ処理工程と、
を有することを特徴とする無線カードの処理方法。
【請求項２】
上記データ処理工程でデータ処理をした無線カードが上記通信可能範囲外に一旦取り出された後、再び通信可能範囲内に入ったとき、上記接触検知センサに接触したことをトリガーとして再び当該無線カードに対するデータ処理をすることを特徴とする請求項１に記載の無線カードの処理方法。
【請求項３】
上記データ処理工程でデータ処理をした無線カードが上記通信可能範囲内にあるままの状態で上記接触検知センサに再び接触したことを検知した場合、当該無線カードに対するデータ処理を禁止することを特徴とする請求項１に記載の無線カードの処理方法。
【請求項４】
上記認識工程では、上記通信可能範囲外に一旦取り出された無線カードが再び通信可能範囲内に入ったとき、当該無線カードを再認識することを特徴とする請求項１に記載の無線カードの処理方法。
【請求項５】
無線カードが上記通信可能範囲内に入ったことを通知する第１の通知工程をさらに有することを特徴とする請求項１に記載の無線カードの処理方法。
【請求項６】
上記認識工程で無線カードが上記通信可能範囲内にあることを認識している状態で、上記接触検知センサに接触したことを通知する第２の通知工程をさらに有することを特徴とする請求項１に記載の無線カードの処理方法。
【請求項７】
無線カードと無線通信をするアンテナ部と、
このアンテナ部の通信可能範囲内に設置され接触を検知する接触検知センサと、
この接触検知センサで接触を検知したことをトリガーとして上記アンテナ部を介して上記通信可能範囲内の無線カードと無線通信することによりデータ処理をするデータ処理部と、
を備えていることを特徴とする無線カードの処理装置。
【請求項８】
上記接触検知センサは、上記アンテナ部の上面に近接して設けられていることを特徴とする請求項７に記載の無線カードの処理装置。
【請求項９】
上記アンテナ部の通信可能範囲内に無線カードが入ったことを通知する第１の通知部をさらに備えていることを特徴とする請求項７に記載の無線カードの処理装置。
【請求項１０】
上記通信可能範囲内に無線カードが入っている状態で、上記接触検知センサに接触したことを通知する第２の通知部をさらに備えていることを特徴とする請求項７に記載の無線カードの処理装置。
【発明の詳細な説明】
【技術分野】
【０００１】
この発明は、例えば、鉄道の駅改札口に設置された自動改札機やバスの運賃収受機に翳して使用する無線カードの処理方法、および処理装置に関する。
【背景技術】
【０００２】
従来、無線カードの処理装置として、非接触ＩＣカードをリーダライタの載置部に置いて、さらにこのカードを載置部に押し付けることにより、商品の購入または予約の意思（決済意思）を確認し、当該商品に係る決済処理を実行する商品販売装置が知られている（例えば、特許文献１参照。）。
【０００３】
また、この種の無線カードを利用した料金収受装置として、例えば、鉄道の自動改札機やバスの運賃収受機などが知られている。例えば、無線カードを利用したバスの運賃収受機では、運賃収受機のアンテナ部に無線カードを翳すことにより、乗車運賃を収受するようになっている。
【０００４】
しかし、この運賃収受機では、例えば、複数人分の乗客料金を１枚の無線カードで支払う場合、カードをアンテナ部に翳す前に乗務員に人数を申告し、申告を受けた乗務員による切り換え操作の後、カードをアンテナ部に翳す必要があり、乗客および乗務員による作業負担が多く不便であった。
【特許文献１】特開２００１−３０７１８３号公報（段落［００１９］）
【発明の開示】
【発明が解決しようとする課題】
【０００５】
この発明の目的は、１枚の無線カードで複数の取引を容易にできる無線カードの処理方法、および処理装置を提供することにある。
【課題を解決するための手段】
【０００６】
上記目的を達成するため、本発明の無線カードの処理方法は、無線処理装置の通信可能範囲内に存在する無線カードを認識する認識工程と、上記通信可能範囲内に設置された接触検知センサに接触したことを検知する検知工程と、この検知工程で接触を検知したことをトリガーとして上記認識工程で認識した無線カードに対するデータ処理をするデータ処理工程と、を備えている。
【０００７】
また、本発明の無線カードの処理装置は、無線カードと無線通信をするアンテナ部と、このアンテナ部の通信可能範囲内に設置され接触を検知する接触検知センサと、この接触検知センサで接触を検知したことをトリガーとして上記アンテナ部を介して上記通信可能範囲内の無線カードと無線通信することによりデータ処理をするデータ処理部と、を備えている。
【０００８】
上記発明によると、通信可能範囲内にある無線カードを認識し、接触検知センサへの接触をトリガーとして、当該無線カードに対するデータ処理をする。
【発明の効果】
【０００９】
この発明の無線カードの処理方法、および処理装置によると、１枚の無線カードで複数の取引を容易にできる。
【発明を実施するための最良の形態】
【００１０】
以下、図面を参照しながらこの発明の実施の形態について詳細に説明する。  
図１には、この発明の実施の形態に係る無線処理装置１（以下、単に、処理装置１と称する）の制御系のブロック図を示してある。また、図２には、この処理装置１の要部の正面図を示してあり、図３には、この要部の平面図を示してある。この処理装置１は、例えば、鉄道の駅改札口に設置された自動改札機やバスの運賃収受機に適用される。
【００１１】
処理装置１の動作を制御する制御部１０には、非接触式ＩＣカードＣ（無線カード）（以下、単に、カードＣと称する）に対するデータの読み出しおよび書き込みをするリーダライタ２（データ処理部）、カードＣとリーダライタ２との間の通信のための電波を発するアンテナ部３、このアンテナ部３から発せられる電波が届く通信可能範囲Ａ内に設置された接触検知センサ部４（以下、単に、センサ部４と称する）、利用者に対する各種情報を表示する表示部５、カードＣが通信可能範囲Ａ内に配置されたとき点灯するとともに処理が完了または接触までの時間がタイムアウトで消灯するランプ６、およびカードＣが通信可能範囲Ａ内に入った状態でセンサ部４に接触したとき電子音を発するスピーカ７が接続されている。
【００１２】
センサ部４は、アンテナ部３の上面に近接して設けられ、カードとの通信が最も安定する位置に配置されている。センサ部４に対する接触には、カードＣの接触、カードＣを保持した利用者の手の接触、カードＣを入れたケースの接触、ケースを収納したバックの接触等がある。センサ部４をアンテナ部３の上面に近接して配置したため、例えばカードＣを保持した手をセンサ部４に接触した場合、カードＣがアンテナ部３に極めて近接した状態となり、データ処理中にカードＣが通信可能範囲Ａから外れて通信が中断する可能性がほとんど無くなる。
【００１３】
表示部５およびランプ６は、この発明の第１の通知部として機能し、表示部５およびスピーカ７は、この発明の第２の通知部として機能する。ランプ６は、ポーリング発出中に消灯し、カード検出済でセンサ部４への接触待ちの状態で点灯する。
【００１４】
リーダライタ２は、アンテナ部３を介して電波を発し、この電波の届く通信可能範囲Ａ内に存在するカードＣに電力を供給する。つまり、カードＣは、バッテリーを持たず、通信可能範囲Ａ内にあるとき電磁誘導により電力を生出する。リーダライタ２は、このようにカードＣを駆動し、コマンドを送信してカードＣ内部のメモリに対するデータの読み出しおよび書き込み（データ処理）を行なう。
【００１５】
カードＣは、個々に割り当てられたＩＤ番号を有し、このＩＤ番号をメモリに記憶している。カードＣは、リーダライタ２からのコマンドに対する応答を返信する機能を有する。すなわち、リーダライタ２は、ポーリングコマンドに対する応答によりカードＣからＩＤ番号を取得し、カードＣを特定する。そして、以降のコマンドでは、この取得したＩＤ番号を利用し、特定のカードＣに対するデータ処理を実行する。
【００１６】
一方、カードＣは、リーダライタ２からのポーリングに１回応答すると、リーダライタ２の通信可能範囲Ａから外れて電力供給が遮断されない限り、再度ポーリングに応答することは無いようになっている。言い換えると、リーダライタ２は、通信可能範囲Ａ内にあったカードＣが通信可能範囲Ａ外に一旦取り出された後、再び通信可能範囲Ａ内に投入されたとき、カードＣを再認識してセンサ部４への接触をトリガーとしてデータ処理をする。
【００１７】
次に、上記構造の処理装置１による処理動作について、図４乃至図１０を参照して説明する。図４には、処理動作を説明するためのフローチャートを示してあり、図５には、そのタイミングチャートを示してある。また、図６乃至図１０には、動作説明図を示してある。
【００１８】
図６に示す処理装置１の待機状態において、リーダライタ２がアンテナ部３を介して連続的にポーリングコマンドを発信する（図４；ステップ１、図５）。このような待機状態で、仮に、センサ部４に利用者が接触しても、スピーカ７が電子音を発することはなく、表示部５を介して“カードを翳してください”という内容の表示がなされる。尚、図６に示す状態では、ランプ６は消灯されている。
【００１９】
リーダライタ２がポーリングコマンドを送信している待機状態で、カードＣが図７に示すように通信可能範囲Ａ内に入ると、リーダライタ２がカードＣに電力を供給してカードＣを駆動する。そして、カードＣは、リーダライタ２からのポーリングコマンドに応答して（ステップ２；ＹＥＳ）リーダライタ２にＩＤ番号を返信する（図５）。このとき、リーダライタ２は、カードＣが通信可能範囲Ａ内にあることを認識してカードＣを特定し、特定したカードＣに対してＡｃｋ（受信応答）を返信してＩＤ番号の応答が完了したことを通知する（図５）。
【００２０】
このように、リーダライタ２とカードＣとの間でＩＤ番号の応答が完了すると、制御部１０は、ランプ６を点灯させてカードＣが通信可能範囲Ａ内に配置されたことを利用者に通知するとともに、表示部５を介して“カードが検出されました”という内容の案内を表示する（ステップ３）。
【００２１】
この状態で、一定時間内（ステップ５）に、図８に示すように、カードＣ（或いは利用者やケースなど）がセンサ部４に接触すると（ステップ４；ＹＥＳ）、この接触をトリガーとしてカードＣに対するデータの読み取りおよび書き込み（データ処理、取引）が実施され、サービスが実行される（ステップ６、図５）。この際、制御部１０は、接触を検知したと同時にスピーカ７を介して電子音を発し、センサ部４に接触があったことを利用者に通知するとともに、表示部５を介して当該取引の内容を表示する。
【００２２】
サービスが完了すると（ステップ７；ＹＥＳ）、制御部１０は、表示部５を介して“ありがとうございました”など、サービスが終了したことを利用者に対して表示する（ステップ８）。一方、何らかの原因により取引が成立せずにサービスが完了しなかった場合（ステップ７；ＮＯ）、制御部１０は、表示部５を介して“もう一度やりなおしてください”など、サービスが完了していないことを利用者に対して表示する（ステップ９）。
【００２３】
この後、ステップ１の処理に戻ってリーダライタ２がポーリングコマンドを連続して送信し、処理装置１による処理動作が終了するまで（ステップ１０；ＹＥＳ）カードＣからの応答を待機する。なお、ステップ８、ステップ９の後、ランプ６は消灯する（ポーリング応答まち中）。
【００２４】
ところで、ステップ６でサービスを実行した後、すなわちデータ処理が終了した後、図９に示すように、カードＣが通信可能範囲Ａ内にあるままセンサ部４が接触を検知した場合、リーダライタ２からのポーリングコマンドにカードＣが応答することが無い（ステップ２；ＮＯ）ため、データ処理が実行されることはなく、スピーカ７を介して電子音が発せられることも無い。
【００２５】
一方、利用者が同一のカードＣを用いて複数回のデータ処理を希望する場合、図１０に示すように、カードＣを一旦通信可能範囲Ａ外へ取り出してから再び通信可能範囲Ａ内に投入し、センサ部４への接触をトリガーとしてデータ処理をすることができる。通信可能範囲Ａ内にカードＣが存在するか通信可能範囲Ａ外にカードＣが存在するかはランプ６の点灯或いは消灯により利用者は確認できる。また、リーダライタ２がカードＣを認識した状態でのセンサ部４への接触の有無は、スピーカ７から電子音が発せられるか否かによって判断できる。
【００２６】
例えば、バス車載の運賃収受機によって２人分の乗車料金を支払う場合を例にとると、カードＣを通信可能範囲Ａ内に入れるとランプ６が点灯し、そのままセンサ部４に接触させるとスピーカ７から電子音が発せられる。そして、利用者は、カードＣを離間させて通信可能範囲Ａ外へカードＣを取り出し、再びカードＣを通信可能範囲Ａ内に投入してセンサ部４に接触する。これにより、リーダライタ２は、カードＣに対するデータ処理を２回行い、２人分の乗車料金をカード残高から引き去る処理を実行することができる。
【００２７】
以上のように、本実施の形態によると、リーダライタ２のアンテナ部４の上面に近接してセンサ部４を配置し、センサ部４への接触をトリガーとしてリーダライタ２によるカードＣに対するデータ処理を実施するようにした。このため、カードＣの利用者は、データ処理を希望する回数だけセンサ部４に接触するだけの動作で、同一カードＣで複数の取引をできるようになり、利便性を向上させることができた。また、バス車載の運賃収受機に本発明を適用した場合、利用者のみならず、乗務員による作業負担をも低減することができる。
【００２８】
なお、この発明は、上述した実施の形態そのままに限定されるものではなく、実施段階ではその要旨を逸脱しない範囲で構成要素を変形して具体化できる。また、上述した実施の形態に開示されている複数の構成要素の適宜な組み合わせにより種々の発明を形成できる。例えば、上述した実施の形態に示される全構成要素から幾つかの構成要素を削除しても良い。
【００２９】
例えば、上述した実施の形態では、センサ部４をアンテナ部３の上面に近接させて設けた場合について説明したが、これに限らず、アンテナ部３にセンシング機能を持たせてセンサ部４としても良い。
【図面の簡単な説明】
【００３０】
【図１】この発明の無線処理装置の制御系を示すブロック図。
【図２】図１の処理装置の要部を示す正面図。
【図３】図２の要部を示す平面図。
【図４】図１の処理装置による処理動作を説明するためのフローチャート。
【図５】図４とともに処理動作を説明するためのタイミングチャート。
【図６】通信可能範囲外にカードＣがある状態を示す動作説明図。
【図７】通信可能範囲内にカードＣが投入された状態を示す動作説明図。
【図８】カードＣがセンサ部に接触した状態を示す動作説明図。
【図９】通信可能範囲内からカードＣを取り出さずにセンサ部に接触した状態を示す動作説明図。
【図１０】通信可能範囲外にカードＣを一旦取り出した後、再びカードＣを通信可能範囲内に投入してセンサ部に接触させた状態を示す動作説明図。
【符号の説明】
【００３１】
１…無線処理装置、２…リーダライタ、３…アンテナ部、４…接触検知センサ部、５…表示部、６…ランプ、７…スピーカ、１０…制御部、Ａ…通信可能範囲、Ｃ…無線カード。
【図１】
2005173733.tif 000003
【図２】
2005173733.tif 000004
【図３】
2005173733.tif 000005
【図４】
2005173733.tif 000006
【図５】
2005173733.tif 000007
【図６】
2005173733.tif 000008
【図７】
2005173733.tif 000009
【図８】
2005173733.tif 000010
【図９】
2005173733.tif 000011
【図１０】
2005173733.tif 000012